(57)【特許請求の範囲】
【請求項１】
綿の種、綿の芯、綿の茎、綿の枝、綿の花、綿の殻、ピーナツの殻、米の籾殻、トウモロコシの芯および大豆よりなる群から選ばれる少なくとも１種よりなる油の取れる植物から取り出したセルロースを含有しており、生きたバクテリアを担持した状態の油の取れる植物から取り出したセルロースを、硫酸で処理した後、更にアンモニアで処理することによって得られる基材と、この基材に担持された、自然界において当該油の取れる植物から取り出したセルロース中に存在する生きているバクテリアとを含有してなる土壌改良剤を植物を栽培するための土壌１反に対して１２．５ｋｇ以上の適用量で適用し、この土壌改良剤が適用された土壌を、適用された土壌改良剤１ｇにおいて、３０〜４０質量％の水が含まれる状態とし、ナス科、マメ科、ユリ科、ウリ科、アブラナ科、キク科、ラン科、ヒルガオ科、イネ科、セリ科、バラ科およびブドウ科よりなる群から選ばれる少なくとも１種の植物を栽培することを特徴とする植物の栽培方法。
【請求項２】
前記土壌改良剤が前記バクテリアの活動を活性化するための栄養素を含有していることを特徴とすることを特徴とする請求項１に記載の植物の栽培方法。
【請求項３】
前記基材が、粉末状の油の取れる植物から取り出したセルロース９２〜９７質量％と、硫酸アンモニウム３〜８質量％とよりなることを特徴とする請求項１または請求項２に記載の植物の栽培方法。
【請求項４】
前記粉末状の油の取れる植物から取り出したセルロースは、その粒子が多孔質であることを特徴とする請求項３に記載の植物の栽培方法。
【請求項５】
前記栄養素が、窒素、硫黄、燐および鉄から選ばれる少なくとも１種であることを特徴とする請求項２〜請求項４のいずれかに記載の植物の栽培方法。
【請求項６】
土壌改良剤を、肥料と共に土壌に対して散布することを特徴とする請求項１〜請求項５のいずれかに記載の植物の栽培方法。
【発明の詳細な説明】
【技術分野】
【０００１】
【発明の属する技術分野】
本発明は、植物の栽培方法に関する。
【背景技術】
【０００２】  植物、特に農作物を栽培するために適した土壌には、適度の通気性、保水性、排水性などが必要とされると共に、農作物が生育する際に必要とする養分を供給する機能を有することも必要とされる。
そこで、土壌の養分供給機能を補うために、化学肥料、有機肥料などの肥料が広く用いられている。【０００３】  しかしながら、肥料として化学肥料を施用し続けた場合には、土が固くなり、結局、その土壌の植物を栽培する能力が低下することがある。【０００４】  また、肥料として有機肥料を用いる場合には、適用した有機肥料が完熟していないものであると、アンモニアや硫化水素など物質を含むため、これらの物質に起因して植物に根腐れ病などが発生するという弊害が生じることがある。
【発明が解決しようとする課題】
【０００５】  本発明は以上のような事情に基づき、土壌を植物の栽培に適した状態とするための方法について研究を重ねた結果なされたものであって、その目的は、優れた植物生育促進性能を有する土壌改良剤を提供することにある。
また、本発明の他の目的は、土壌を植物の栽培に適した状態とするための土壌改良方法を提供することにある。
本発明の更に他の目的は、健康な植物を栽培する方法を提供することにある。
【課題を解決するための手段】
【０００６】
【課題を解決するための手段】
本発明の植物の栽培方法は、綿の種、綿の芯、綿の茎、綿の枝、綿の花、綿の殻、ピーナツの殻、米の籾殻、トウモロコシの芯および大豆よりなる群から選ばれる少なくとも１種よりなる油の取れる植物から取り出したセルロースを含有しており、生きたバクテリアを担持した状態の油の取れる植物から取り出したセルロースを、硫酸で処理した後、更にアンモニアで処理することによって得られる基材と、この基材に担持された、自然界において当該油の取れる植物から取り出したセルロース中に存在する生きているバクテリアとを含有してなる土壌改良剤を植物を栽培するための土壌１反に対して１２．５ｋｇ以上の適用量で適用し、この土壌改良剤が適用された土壌を、適用された土壌改良剤１ｇにおいて、３０〜４０質量％の水が含まれる状態とし、ナス科、マメ科、ユリ科、ウリ科、アブラナ科、キク科、ラン科、ヒルガオ科、イネ科、セリ科、バラ科およびブドウ科よりなる群から選ばれる少なくとも１種の植物を栽培することを特徴とする。
【０００７】
また、本発明の植物の栽培方法においては、前記土壌改良剤が前記バクテリアの活動を活性化するための栄養素を含有していることが好ましい。
【０００８】
本発明の植物の栽培方法においては、前記基材は、粉末状の油の取れる植物から取り出したセルロース９２〜９７質量％と、硫酸アンモニウム３〜８質量％とよりなることが好ましい。
また、粉末状の油の取れる植物から取り出したセルロースは、その粒子が多孔質であることが好ましい。
【００１０】
本発明の植物の栽培方法においては、前記栄養素が、窒素、硫黄、燐および鉄から選ばれる少なくとも１種であることが好ましい。
【００１３】  本発明の植物の栽培法法においては、土壌改良剤を、肥料と共に土壌に対して散布してもよい。
【発明を実施するための形態】
【００１６】  以下、本発明について詳細に説明する。
本発明の土壌改良剤は、基材と、この基材に担持された、生きているバクテリア（以下、単に「バクテリア」ともいう。）とを必須の構成要素として含有してなるものであり、また、バクテリアの活動を活性化するための栄養素、基材に吸着された、植物に対して有害な、例えば油分などの有害要素を分解するために必要とされるミネラル成分などの任意の構成要素が含有されていてもよい。
この土壌改良剤は、通常、乾燥した粉末状のものとして提供される。
【００１７】  基材は、油の取れる植物から取り出したセルロース（以下、「植物性セルロース」ともいう。）を含有しており、有害要素を吸着することによって当該有害要素の有害性を遮蔽する作用、およびバクテリアの活動を活性化する作用、土壌の通気性、保水性を向上させる作用を有する構成要素である。
植物性セルロースは、例えば数μｍ（マイクロメートル）〜数ｍ（ミリ）の長さの繊維状の形状、粉末状の形状を有するものである。
【００１８】  この基材の好ましい形態としては、粉末状の植物性セルロース９２〜９７質量％と、硫酸アンモニウム３〜８質量％とよりなる組成を有するものが挙げられる。このような基材においては、植物性セルロースに由来する燐（Ｐ）、硫酸アンモニウムに由来する硫黄（Ｓ）および窒素（Ｎ）の含有質量比「Ｐ：Ｓ：Ｎ」が好ましいとされる１：１０：１００となる。
ここで、硫酸アンモニウムは、バクテリアを活性化する栄養源として機能すると共に、植物を生育する養分源として機能する。
【００１９】  硫酸アンモニウムの含有割合が過小である場合には、土壌改良剤の植物生育促進性能が適用初期において十分に発揮されなくなるおそれがある。
また、硫酸アンモニウムの含有割合が極めて過大である場合には、植物の根の生育が阻害され、結局、植物が枯れてしまうおそれがある。
【００２０】  植物性セルロースの粉末は、平均粒子径が例えば数μｍ（マイクロメートル）〜数ｍ（ミリ）であり、その粒子が多孔質のものであることが好ましい。
植物性セルロースの粉末の粒子が多孔質である場合には、基材に一層優れた、有害要素を吸着することによって当該有害要素の有害性を遮蔽する作用および土壌の通気性、保水性を向上させる作用が得られると共に、土壌改良剤中におけるバクテリアの数を多くすることができ、その結果、土壌改良剤が一層優れた植物生育促進性能を有するものとなる。
【００２１】  植物性セルロースは、１〜２年草や樹木などの繊維、具体的には、例えば綿の種、綿の芯、綿の茎、綿の枝、綿の花、綿の殻、ピーナツの殻、米の籾殻、トウモロコシの芯、大豆などの繊維よりなるものである。
植物性セルロースとしては、これらの繊維を単独で若しくは２種以上を組み合わせてなるものであってもよいが、特に綿の種の繊維が用いられることが好ましい。この理由は、バクテリアが油分の存在する環境を好むため、油分を多く含む綿の種から取り出した植物性セルロースはバクテリアを多く担持した状態であることから、土壌改良剤中におけるバクテリアの数をより多く確保することができるためである。
【００２２】  基材の含有割合は、土壌改良剤１００質量部に対して９２〜９７質量部であることが好ましい。
【００２３】  バクテリアとしては、自然界において植物性セルロース中に存在するものが用いられる。
バクテリアの好ましい具体例としては、バチルスサブチリス（Ｂａｃｉｌｌｕｓ  ｓｕｂｔｉｌｉｓ）、バチルスリケニフォルムス（Ｂａｃｉｌｌｕｓ  ｌｉｃｈｅｎｉｆｏｒｍｕｓ）、バチルスチューリンゲンシス（Ｂａｃｉｌｌｕｓ  ｔｈｕｒｉｎｇｅｎｓｉｓ）、バチルスセリウス（Ｂａｃｉｌｌｕｓ  ｃｅｒｅｕｓ）、アルスロバクターグロビフォルミス（Ａｒｔｈｒｏｂａｃｔｅｒ  ｇｌｏｂｉｆｏｒｍｉｓ）、バチルススパエリカス（Ｂａｃｉｌｌｕｓ  ｓｐｈａｅｒｉｃｕｓ）などの好気性細菌、バチルスコアギュランス（Ｂａｃｉｌｌｕｓ  ｃｏａｇｕｌａｎｓ）、シュードモナスアルカリゲネス（Ｐｓｅｕｄｏｍｏｎａｓ  ａｌｃａｌｉｇｅｎｅｓ）、シュードモナスキシロソクシダンス（Ｐｓｅｕｄｏｍｏｎａｓ  ｘｙｌｏｓｏｘｉｄａｎｓ）などの嫌気性細菌などが挙げられ、これらは単独で若しくは２種以上を組み合わせて用いることができる。
【００２４】  土壌改良剤１ｇ中におけるバクテリアの数は、通常、１×１０3 〜９×１０8 個であることが好ましい。
このバクテリアの数は、基材を構成する植物性セルロースの含有割合に関連する。その理由は、後述するように、土壌改良剤が、バクテリアを担持した状態の植物性セルロースを原料として用い、そのバクテリアを製造工程中において死滅させることなく、当該土壌改良剤の構成要素とするよう製造されるからである。
【００２５】  栄養素は、土壌改良剤において、バクテリアの活動を一層活性化する効用を有する構成要素であり、この栄養素の作用により、適量の水分および酸素を含有する土壌中においてバクテリアが確実に増殖することとなる。
【００２６】  栄養素の具体例としては、窒素、硫黄、燐、鉄などが挙げられ、これらは単独で若しくは２種以上を組み合わせて用いることができる。
栄養素として、主としてタンパク質に作用する窒素（Ｎ）および硫黄（Ｓ）、主としてエネルギーに関連するＡＴＰ（アデノシン三燐酸）や核のＤＮＡ（デオキリボ核酸）に作用する燐（Ｐ）を併用してなるものにおいては、これらの含有質量比「Ｐ：Ｓ：Ｎ」が１：１０：１００であることが好ましい。
【００２７】  ミネラル成分は、土壌改良剤において、基材に吸着された、植物に対して有害な、例えば油分などの有害要素を高い効率で分解するために必要とされる構成要素である。  ミネラル成分の具体例としては、カリウム、カルシウム、ナトリウム、マグネシウム、亜鉛、コバルト、珪酸、モリブデン、マンガンなどが挙げられ、これらは単独で若しくは２種以上を組み合わせて用いることができる。
【００２８】  このような土壌改良剤は、例えば生きたバクテリアを担持した状態の植物性セルロースを、例えば硫酸で処理することによってセルロース資材を得、更にこのセルロース資材をアンモニアで処理することによって得られる基材を適宜の方法によって、例えば粉末状としたものと、例えば栄養素などとを適宜の方法で混合させることによって製造することができる。
ここで、この製造工程においては、例えばセルロース資材をアンモニアで処理した後に、得られた生成物に対してバクテリアを加えることもできる。
【００２９】  このような土壌改良剤の製造工程においては、硫酸は殺菌作用を有するものであるが、硫酸で処理されたセルロース資材をアンモニアで処理することによって当該殺菌作用を抑制することができると共に、バクテリア自体がその細胞壁を堅くすることによって薬剤などに対する抵抗性を高くすることができる、という理由から、バクテリアが死滅することはない。
【００３０】  セルロース資材としては、例えば綿の種から硫酸を用いて繊維を除去する工程において生じる副産物、すなわち、いわゆる農業廃棄物を用いることができる。
【００３１】  このような構成の土壌改良剤は、当該土壌改良剤に含有されているバクテリアが適用された土壌において生活することに起因して、優れた植物生育促進性能を有するものであるが、その植物生育促進性能は、適用された土壌において、適量の水および酸素とが存在する環境とされることにより、バクテリアが盛んに活動し、さらに増殖することが可能となって確実に発揮される。
【００３２】  従って、この土壌改良剤によって土壌を改良するためには、当該土壌改良剤が適用された土壌を、水分を含んだ状態とすることが必要とされる。
ここで、土壌改良剤が十分に植物生育促進性能を発揮するために必要とされる土壌の保水量状態としては、適用した土壌改良剤１ｇにおいて、通常、３０〜４０質量％の水が含まれる状態とされる。
【００３３】  土壌改良剤を用いた土壌改良方法の好ましい態様としては、例えば（１）適宜の方法によって土壌に対して散布する方法、（２）土壌に適宜の大きさの穴を形成し、その穴内に充填する方法、などによって土壌改良剤を適用し、この土壌に対して適宜の手段により水を供給する方法などが挙げられる。
【００３４】  特に、植物として農作物を栽培するための土壌に対して適用する場合には、土壌改良剤の適用量は、通常、１反（約１０００ｍ2 ）に対して１２．５ｋｇ以上とされる。
【００３５】  植物を栽培するための土壌には、植物を植える前の時期、植物を植える時期と同じ時期、あるいは植物の生育が盛んとなる時期に土壌改良剤を適用することが好ましい。これにより、土壌改良剤の有する植物生育促進性能を、十分確実に栽培対象植物に対して発揮することができ、その結果、栽培対象植物が健康な状態で生育する。
【００３６】  植物の栽培において、化学肥料、有機肥料などの肥料を用いる場合には、例えば肥料と土壌改良剤とを混合し、この混合物を、例えば肥料用散布機によって散布することにより、肥料と土壌改良剤とを一斉に適用することもできる。これにより、土壌改良剤の適用と、肥料の適用とを個別に行う手間を省くことができる。
【００３７】
このような土壌改良剤が適用された土壌においては、何らの弊害を伴うことなく、例えば、茄子、トマト、ピーマン、ジャガイモなどのナス科、豌豆などのマメ科、玉葱、韮、アスパラガスなどのユリ科、胡瓜、南瓜、メロン、西瓜などのウリ科、大根、白菜、青梗菜、キャベツ、ブロッコリーなどのアブラナ科、レタス、菊などのキク科、蘭などのラン科、薩摩芋などのヒルガオ科、稲などのイネ科、セロリ、パセリなどのセリ科、苺などのバラ科、葡萄などのブドウ科の種々の植物を健康な状態で栽培可能なことが確認されている。
また、これらの植物のうち、いわゆる軟弱野菜に対しては、特に優れた効果が得られることが確認されている。
【００３８】  土壌改良剤を用いて植物を栽培する場合には、土壌改良剤に係るバクテリアが栽培対象植物と共生することに起因して土壌改良剤自体が植物生育促進性能を有するものであると共に、例えば植物性セルロースが適用された土壌中において自然に分解することによって植物を生育するための養分源として機能する、あるいは基材における硫酸アンモニウム、栄養素、ミネラル成分などが植物の養分源としても機能するため、当該土壌改良剤を用いることなく植物を栽培する方法に比して、使用すべき化学肥料、有機肥料などの肥料の量を減少させることができる。
また、化学肥料を施用し続けることによって土が固くなった状態の土壌に適用した場合には、その状態が改良されて植物の栽培に適した状態となる。
【００３９】  そして、本発明の土壌改良剤を用いて植物を栽培する場合には、当該土壌改良剤が優れた植物生育促進性能を有するものであるため、基本的に、化学肥料、有機肥料などの肥料を用いずに健康な植物を栽培することもできる。
【００４０】  また、本発明の土壌改良剤は、当該土壌改良剤に含有するバクテリアが活性化することに起因して植物に害を及ぼす病原菌の繁殖が抑制される可能性があると共に、栽培対象植物が虫による害を受けにくくなる可能性があるため、農薬を全く使用しない無農薬栽培、有機栽培、また、少量の農薬しか使用しない減農薬栽培などの農薬の使用量が制限されている場合に極めて好適である。
【００４１】  本発明の土壌改良剤においては、基材が、粉末状のセルロースと、燐酸アンモニウムとよりなるものであってもよい。この基材においては、セルロースの含有割合が９２〜９７質量％であり、燐酸アンモニウムの含有割合が３〜８質量％であることが好ましい。
【００４２】  また、基材は、例えば硝酸、燐酸、塩酸などの強酸、オゾン、酸素、酸化窒素などの酸化ガスで酸処理されており、生きたバクテリアを担持した状態の植物性セルロースを、例えば硫酸アンモニウム、燐酸アンモニウム、窒素化合物などの化合物で処理することによって得られるものであってもよい。
ここで、塩酸、硝酸などの殺菌作用を有する化合物を用いた酸処理を行った場合でも、その酸処理によって得られた生成物を、硫酸アンモニウムあるいは燐酸アンモニウムで処理することによって酸処理に係る化合物の殺菌作用を抑制することができると共に、バクテリア自体が薬剤に対する抵抗力を高めることができることから、バクテリアがその製造工程において死滅することはない。
【００４３】  従って、基材としては、例えば綿の種から塩酸を用いて繊維を除去する工程において生じる副産物（いわゆる農業廃棄物）を、硫酸アンモニウムあるいは燐酸アンモニウムで処理することによって得られる生成物を用いることができる。
【実施例】
【００４４】  以下、本発明の実施例について説明するが、本発明はこれらにより限定されるものではない。【００４５】〔実施例１：玉葱の栽培〕
岡山県玉野市の野外の圃場において、１００株の同一品種の玉葱の苗を、３０ｃｍの等間隔で作付けすると共に、作付けした各々の玉葱の半径３０ｃｍ以内の位置に形成した、直径２ｃｍ、深さ１０ｃｍの大きさの穴内に、綿の種の繊維よりなる粉末状の植物性セルロース９２質量％および硫酸アンモニウム８質量％よりなる基材と、自然界において綿の種の繊維よりなる植物性セルロース中に存在するバクテリアと、栄養素として燐、窒素、硫黄とを含有する土壌改良剤５ｇを投入し、肥料を与えず、農薬を用いず、雑草を除去することなく、常に土壌が乾燥することのないよう、水撒きをする、という条件で５ヶ月間（１月〜５月の間の期間）栽培した。【００４６】  作付けしてから５ヶ月経過した後、すべての玉葱を収穫し、その大きさを測定し、その平均値を求めた。結果を表１に示す。【００４７】〔比較例１：玉葱の栽培〕
実施例１と同様の条件で作付けし、土壌改良剤を適用しなかったこと以外は実施例１と同様の条件で玉葱を栽培した。
作付けしてから５ヶ月経過した後、すべての玉葱を収穫し、その大きさを測定し、その平均値を求めた。結果を表１に示す。【００４８】
【表１】
0005289657.tif 000002
【００４９】  以上の結果から、土壌改良剤を土壌に適用した実施例１に係る栽培方法によれば、土壌改良剤を適用しなかった比較例１に係る栽培方法に比して、葉部分および茎部分の大きい玉葱が収穫されることが確認された。【００５０】〔実施例２：サツマイモの栽培〕
岡山県倉敷市の野外の圃場において、畝を形成し、この畝に１００株の同一品種のサツマイモの苗を、直線的に５０ｃｍの等間隔で作付けすると共に、畝における作付けした各サツマイモの苗の茎を結ぶ直線から８０ｃｍ以内の位置に形成した、幅８０ｃｍ、深さ５ｃｍの大きさの溝内に、実施例１と同様の土壌改良剤をサツマイモ３０株に対して１９０ｇの割合で投入し、実施例１と同様の条件で２ヶ月間（５月〜７月の間の期間）栽培した。【００５１】  作付けしてから２ヶ月経過した後に収穫作業を行い、すべてのサツマイモを収穫し、一株における収穫数量、および大きさを測定し、その平均値を求めた。結果を表２に示す。【００５２】〔実施例３：サツマイモの栽培〕
実施例２と同様の条件で作付けし、土壌改良剤を作付けから１ヶ月後に、実施例２と同様の方法によって適用したこと以外は実施例２と同様の条件でサツマイモを栽培した。
作付けしてから２ヶ月経過した後に収穫作業を行い、すべてのサツマイモを収穫し、一株における収穫数量、および大きさを測定し、その平均値を求めた。結果を表２に示す。【００５３】〔比較例２：サツマイモの栽培〕
実施例２と同様の条件で作付けし、土壌改良剤を適用しなかったこと以外は実施例２と同様の条件でサツマイモを栽培した。
作付けしてから２ヶ月経過した後に収穫作業を行ったが、サツマイモを収穫することができなかった。【００５４】
【表２】
0005289657.tif 000003
【００５５】  以上の結果から、土壌改良剤を土壌に適用した実施例２および実施例３に係る栽培方法によれば、土壌改良剤を適用しなかった比較例２に係る栽培方法においてはサツマイモを収穫することができなかったにもかかわらず、サツマイモが十分に生育し、収穫することができることが確認された。
また、特に、土壌改良剤の適用を作付けと同時期に行った実施例２に係る栽培方法によれば、土壌改良剤の適用時期が作付けから１ヶ月後の実施例３に係る栽培方法に比して、１株当たりの収穫数が多くなることが確認された。【００５６】  実施例１〜実施例３および比較例１〜比較例２により、土壌改良剤が優れた植物生育促進性能を有するものであるということが理解される。
また、実施例２および実施例３により、土壌改良剤を栽培対象植物の作付け時期と同じ時期に適用することによって土壌改良剤の植物生育促進性能を十分に発揮させることができるということが理解される。【００５７】
また、実施例１と同様の土壌改良剤を土壌に適用し、その土壌において、例えばトマト、胡瓜、茄子、ピーマン、大根、豌豆、玉葱、レタス、薩摩芋、稲、韮、アスパラガス、苺、菊および蘭などの種々の植物を栽培したところ、土壌改良剤が優れた植物生育促成性能を発揮し、各栽培対象植物が健康な状態で生育されると共に、土壌および栽培対象植物に以下に示す種々の効果が確認された。
【００５８】（土壌における効果）
（１）ミミズが増加した。
（２）害虫の発生が減少した。【００５９】（栽培対象植物における効果）
（１）毛根が増加した。
（２）消毒が必要となる程度にまで虫に食われることが少なくなった。
（３）栽培対象植物が病気にかかることがなかった。
（４）立ち枯れを抑制された。
（５）収穫量が増加した。
（６）糖度が大きくなった。
（７）収穫物の大きさが揃った。
（８）収穫後の日持ちがよくなった。
【発明の効果】
【００６０】  本発明の土壌改良剤は、適用された土壌においてバクテリアが生活することに起因して土を肥えたものすることによる、優れた植物生育促進性能を有するものである。
【００６１】  本発明の土壌改良方法は、上記の優れた植物生育促進性能を有する土壌改良剤を適用するものであるため、弊害を伴わずに土壌を植物の栽培に適した状態とすることができる。
【００６２】  本発明の植物の栽培方法は、優れた植物生育促進性能を有する土壌改良剤を適用した土壌において植物を栽培するものであるため、上記の健康な植物を栽培することができる。